(57)【要約】      （修正有）【課題】文字等の表示パターンの新しい見栄えの演出、注意喚起ができる表示板を提供する。【解決手段】導光板１は、側面に入射面Sin、表面に出射面Sout、裏面に配光制御面Scontを有する。導光板１の入射面Sinには、背景モード用可視光源２が設けられ、出射面Soutには拡散層３が設けられている。拡散層３上には、透明板６が設けられ、透明板６には、第１の表示パターンのインク層７を印刷してある。透明板６上にパターン化されたフォトクロミック層８を形成することによって第２の表示パターンを形成する。第１の表示パターンは背景モード用可視光源２によって視認され、変化しない。フォトクロミック層８は紫外光源９からの紫外線で着色し、可視光源２からの可視光で消色する。従って、第２の表示パターンは紫外光源９によって変化たとえば点滅して視認される。【選択図】図１
2015022093.tif 000002
【特許請求の範囲】
【請求項１】
表面を出射面とし側面を入射面とする導光板と、
該導光板の出射面上に設けられ、表示パターンを形成するフォトクロミック層と、
前記導光板の入射面に設けられ、前記フォトクロミック層の着色光を前記導光板へ入射させるための第１の光源と、
前記導光板の入射面に設けられ、前記フォトクロミック層の消色光を前記導光板へ入射させるための第２の光源と
を具備する表示板。
【請求項２】
前記第１の光源は非可視光源であり、前記第２の光源は可視光源である請求項１に記載の表示板。
【請求項３】
前記非可視光源は紫外光源である請求項２に記載の表示板。
【請求項４】
前記可視光源は前記導光板の出射面に形成されたインク層または刻印を照射するための背景モード光源でもある請求項２に記載の表示板。
【請求項５】
前記第１の光源は第１の非可視光源であり、前記第２の光源は第２の非可視光源である請求項１に記載の表示板。
【請求項６】
前記第１の非可視光源は紫外光源であり、前記第２の可視光源は赤外光源である請求項５に記載の表示板。
【発明の詳細な説明】
【技術分野】
【０００１】
本発明は導光板を用いた表示板に関する。
【背景技術】
【０００２】
公共施設等の案内板、看板として用いられる表示板としてサイドエッジ型導光板を用いた表示板は、光源が少ないので、省エネルギー、低コスト、薄膜化、大面積化等の点で有利である（参照：特許文献１）。
【０００３】
図３は従来の表示板を示し、（Ａ）は正面図、（Ｂ）は（Ａ）のＢ−Ｂ線断面図である。
【０００４】
図３において、導光板１は、側面に入射面Sin、表面に出射面Sout、裏面に配光制御面Scontを有する。導光板１の入射面Sinには、発光ダイオード（LED）よりなる複数の可視光源２が設けられ、出射面Soutには拡散層３が設けられ、配光制御面Scontには配光制御面Scontから洩れてきた光を拡散反射させて導光板１へ戻すための反射層４が設けられている。さらに、配光制御面Scontには光を乱反射させるための拡散ドット５が形成されている。従って、矢印Ｘに示すごとく、光源２から導光板１の入射面Sinに入射した光は導光板１の出射面Sout及び配光制御面Scont間を反射しながら反射層４及び拡散ドット５によって乱反射（散乱）して出射面Soutから出射し、拡散層３を介して出射する。
【０００５】
さらに、拡散層３上には、ガラス等よりなる透明板６が設けられ、透明板６には、文字、記号、図形、写真等の表示パターンたとえば「ＡＢＣ」のインク層７を印刷してある。この結果、表示パターンのインク層７が導光板１の出射面Soutに照らし出され、良好な視認性を有する表示板を実現する。尚、インク層７の代りにレーザ加工等によって刻印された刻印でもよい。
【先行技術文献】
【特許文献】
【０００６】
【特許文献１】特開２０１３−１１７６８号公報
【特許文献２】特開２００８−３１０３２４号公報
【特許文献３】特開２００８−７０５３３号公報
【非特許文献】
【０００７】
【非特許文献１】http://www.aist.go.jp/aist_j/press_release/pr2010/pr20101209/pr20101209.html#d1, 産業技術総合研究所、2010年12月9日
【発明の概要】
【発明が解決しようとする課題】
【０００８】
しかしながら、上述の従来の表示板においては、印刷もしくは刻印された表示パターンを視認できるが、可視光源２は表示板の背景モードを設定するために、点灯状態を維持するので、視認された表示パターンに変化がなく、演出力、注意喚起力が小さいという課題がある。
【０００９】
尚、表示パターンの変化を視認できるように、図３の表示板の導光板１の拡散層３側に液晶パネルを設けることもできるが、この場合には、製造コストが大幅に上昇し、また、大型化に限界がある。
【課題を解決するための手段】
【００１０】
上述の課題を解決するために本発明に係る表示板は、表面を出射面とし側面を入射面とする導光板と、導光板の出射面上に設けられ、表示パターンを形成するフォトクロミック層と、導光板の入射面に設けられ、フォトクロミック層の着色光を導光板へ入射させるための第１の光源と、導光板の入射面に設けられ、フォトクロミック層の消色光を導光板へ入射させるための第２の光源とを具備するものである。これにより、第２の光源を背景モード設定のために点灯状態にする一方、第１の光源を点滅すれば、フォトクロミック層によって形成された表示パターンが変化つまり点滅する。
【発明の効果】
【００１１】
本発明によれば、フォトクロミック層によって形成された表示パターンが変化つまり点滅するので、新しい見栄えの演出、注意喚起を行うことができる。
【図面の簡単な説明】
【００１２】
【図１】本発明に係る表示板の第１の実施の形態を示し、（Ａ）は正面図、（Ｂ）は（Ａ）のＢ−Ｂ線断面図である。
【図２】本発明に係る表示板の第２の実施の形態を示し、（Ａ）は正面図、（Ｂ）は（Ａ）のＢ−Ｂ線断面図である。
【図３】従来の表示板を示し、（Ａ）は正面図、（Ｂ）は（Ａ）のＢ−Ｂ線断面図である。
【発明を実施するための形態】
【００１３】
図１は本発明に係る表示板の第１の実施の形態を示し、（Ａ）は正面図、（Ｂ）は（Ａ）のＢ−Ｂ線断面図である。
【００１４】
図１においては、図３の透明板６上にパターン化されたフォトクロミック層８を形成することによって文字「ＷＥＬＣＯＭＥ」、矢印記号よりなる表示パターンを形成する。このフォトクロミック層８は紫外線で着色し、可視光で消色する。また、可視光源２に加えて、フォトクロミック層８の着色光を出射する紫外光源９を付加してある。この場合、フォトクロミック層８の消色光は可視光源２によって出射される。
【００１５】
一般に、フォトクロミック材はある波長の光を吸収してバンドギャップ状態が変化し、吸収する光の波長が変化する材料であり、従って、当てる光の波長を変化させることでフォトクロミック材を可逆的に着色状態、消色状態にすることができる。このようなフォトクロミック材として、有機物であれば、ジアリールエテン、スピロピラン、アゾベンゼン等があり（参照：特許文献２、３）、無機物であれば、酸化タングステン、酸化モリブデン、酸化チタン、バリウムマグネシウム珪酸塩（BaMgSiO4）等がある（参照：非特許文献１）。但し、酸化タングステン、酸化モリブデン、酸化チタンは紫外線で青色に着色するが、可逆性、耐久性等で問題がある。
【００１６】
たとえば、フォトクロミック層８がジアリールエテンの場合、着色光として紫外光源９の紫外線で着色し、他方、消色光として可視光源２の可視光で無色となる。置換基を変えることにより着色は赤色、緑色、青色となる。薄膜化も可能である。従って、紫外光源９の紫外線の照射中はフォトクロミック層８は着色し、紫外線照射後は、可視光源２の可視光でフォトクロミック層８は退色する。このとき、着色状態を維持するには、紫外光源９による適切な間隔で紫外光を照射すればよい。
【００１７】
また、フォトクロミック層８がスピロピランの場合、着色光として紫外光源９の紫外線で青色もしくは青紫に着色し、他方、消色光として可視光源２の可視光もしくは熱で無色となる。このスピロピランは溶媒中で着色するが、アセトン、トルエン等の有機溶媒に溶けるポリスチレン、ABS樹脂等の高分子に取込んで再固体化することで固体状態でも着色する。従って、紫外光源９の紫外線の照射中はフォトクロミック層８は着色し、紫外線照射後は、可視光源２の可視光でフォトクロミック層８は退色する。このとき、着色状態を維持するには、紫外光源９による適切な間隔で紫外光を照射すればよい。
【００１８】
このように、図１の表示板においては、フォトクロミック層８は非可視光（この場合、紫外光）で着色し、他方、可視光で消色（あるいは退色）するので、紫外光源９が点灯、消灯すると、フォトクロミック層８によって形成された表示パターンは変化たとえば点滅して視認される。この場合、可視光源２は背景モード用として点灯状態である。この結果、新しい見栄えの演出、注意喚起を行うことができる。
【００１９】
図２は本発明に係る表示板の第２の実施の形態を示し、（Ａ）は正面図、（Ｂ）は（Ａ）のＢ−Ｂ線断面図である。
【００２０】
図２においては、図２のフォトクロミック層８の代りにフォトクロミック層１０を設けると共に、光源２、９に加えて、フォトクロミック層１０の消色光を出射する赤外光源１１を付加してある。
【００２１】
すなわち、フォトクロミック層１０は着色光として紫外光源９の紫外線で着色し、他方、消色光として赤外光源１１の赤外光で無色となる。尚、このようなフォトクロミック層１０は現在開発途中にある。従って、紫外光源９の紫外線の照射中はフォトクロミック層１０は着色し、紫外線照射後は、赤外光源１１の赤外光でフォトクロミック層１０は退色する。このとき、着色状態を維持するには、紫外光源９による適切な間隔で紫外光を照射すればよい。
【００２２】
このように、図２の表示板においては、フォトクロミック層１０は非可視光（この場合、紫外光）で着色し、他方、非可視光（この場合、赤外光）で消色（あるいは退色）する。従って、背景モードの可視光源２が点灯状態にあっても、紫外光源９が点灯、消灯すると共に、赤外光源１１が消灯、点灯すると、フォトクロミック層１０によって形成された表示パターンは変化たとえば点滅して視認される。この結果、新しい見栄えの演出、注意喚起を行うことができる。
【００２３】
尚、上述の実施の形態においては、フォトクロミック層８、１０は透明板６上に設けられているが、導光板１の出射面Soutに直接設けてもよい。
【００２４】
また、本発明は上述の実施の形態の自明の範囲のいかなる変更も適用し得る。
【符号の説明】
【００２５】
１：導光板
２：可視光源
３：拡散層
４：反射層
５：拡散ドット
６：透明板
７：インク層
８：フォトクロミック層
９：紫外光源
１０：フォトクロミック層
１１：赤外光源
【図１】
2015022093.tif 000003
【図２】
2015022093.tif 000004
【図３】
2015022093.tif 000005